(57)【特許請求の範囲】
【請求項１】
胴周部を網目状として、供給側を高位に、排出側を低位となるように所要角度傾斜させて回転させる選別筒と、この選別筒の網目を通過した基準値以下の屑粒を搬出する屑粒回収用ホッパと、前記選別筒の網目から通過することなく選別筒から排出された基準を満たす整粒を搬出する整粒搬出用シュートと、これら各構成部品を固定する本体フレームとを備え、前記本体フレームに前記選別筒を一列に上下多段に配置した単列多段型粒選別機において、
前記上下に配置した各選別筒の間に位置して上段側選別筒からの屑粒を前記屑粒回収用ホッパへと案内する傾斜案内板を設けるとともに、この傾斜案内板と前記上下各選別筒を前記本体フレームに対して前記傾斜案内板の高位側である左側と低位側である右側の両側から着脱自在に設けるために、前記本体フレームは取り外し可能な左右側面パネルを備え、
前記本体フレーム内に位置して前記選別筒の軸方向両端側に前記傾斜案内板を支持する一対の支持レールを前記本体フレームの短手方向に沿って設け、この支持レールに対して前記傾斜案内板がスライドして着脱自在に取り付けられていることにより、
前記傾斜案内板と上下各選別筒が、前記本体フレームに対して前記各選別筒の軸方向と直交する前記本体フレームの短手方向両側からの取り外しを可能とすることを特徴とする単列多段型粒選別機。
【請求項２】
前記傾斜案内板の高位側には、当該傾斜案内板の一端縁からＬ型に折曲させ、前記支持レールの上端縁に係止されるストッパ片が形成されていることを特徴とする請求項１記載の単列多段型粒選別機。
【請求項３】
請求項２に記載された単列多段型粒選別機の前記本体フレームから前記傾斜案内板及び前記上下選別筒を取り外す方法において、
前記本体フレームの前記左側から前記傾斜案内板及び前記上下選別筒を取り外す場合には、
前記本体フレームから前記左側面パネルを取り外して前記本体フレームの左側を開放し、
前記傾斜案内板を前記支持レールに沿って高位側へスライドさせて、前記傾斜案内板を取り外し、
当該傾斜案内板を取り外した後、前記本体フレームから前記上段側選別筒、前記下段側選別筒の順に取り外し、
前記本体フレームの前記右側から前記傾斜案内板及び前記上下選別筒を取り外す場合には、
前記本体フレームから前記右側面パネルを取り外して前記本体フレームの右側を開放し、
先ず、前記傾斜案内板の上部に位置する前記上段側選別筒を前記本体フレームから抜き取って、前記傾斜案内板の上部を開放させ、
前記傾斜案内板の前記ストッパ片と前記支持レールとの係止を解除して前記傾斜案内板を前記支持レールから取り外し、
その後に、前記本体フレームから前記下段側選別筒を取り外すようにしたことを特徴とする単列多段型粒選別機の本体フレームから傾斜案内板及び上下選別筒を取り外す方法。
【発明の詳細な説明】
【技術分野】
【０００１】
本発明は、例えば穀粒や顆粒などを篩別仕分して、粒径の大小によって選別する粒選別機、特に、選別筒を単列多段に配した単列多段型粒選別機及び単列多段型粒選別機の本体フレームから傾斜案内板及び上下選別筒を取り外す方法に関するものである。
【背景技術】
【０００２】
従来から例えば穀類などにおいて、米穀等の穀粒を粒径に応じて整粒と未熟粒等の屑粒とに選別する穀粒選別機が知られている。例えば、特許文献１で提案される選別機は、網目状の選別筒を回転自在に配置するとともに、この選別筒が、粒体の供給側が高く、排出側が低くなるように所要角度傾斜させて設置し、選別筒の内部に選別対象となる粒体を選別筒の供給側から供給し、選別筒の回転によって、選別筒の網目から通過した粒径の小さな屑粒を選別筒の長手方向下部に沿って配置したホッパ状の屑粒受けのシャッターによって排出し、選別筒の網目から通過しない整粒は選別筒の傾斜によって排出側へと流下させて排出するようにしている。
【０００３】
また、特許文献１に示す単体の選別筒を横方向に複数列、上下方向に多段に配置した複数列多段型粒選別機も知られており、例えば、特許文献２では、横方向に二列、上下方向に二段の選別筒を配置しており、特許文献３では、横方向に二列、上下方向に三段の選別筒を配置している。
【先行技術文献】
【特許文献】
【０００４】
【特許文献１】特開昭５８−３４０７３号公報
【特許文献２】実公平６−４９４８号公報
【特許文献３】特開昭５７−９４３７９号公報
【発明の概要】
【発明が解決しようとする課題】
【０００５】
特許文献２、３で示すような複数の選別筒を複数列多段に配置した選別機は、選別処理能力は高い反面、選別筒を横方向に並設しているため、装置全体の床面積が増え、省スペース化の面で不利であるとともに、この種の選別機は、選別する粒体の粒径に応じて、そのサイズにあった網目の選別網に交換する際、本体フレームに対してそれぞれの選別筒が取り外せるように、本体フレームに各選別筒が着脱自在に装着されているが、特許文献２、３に示す複数列多段型選別機は、構造的に選別筒を一方向側からしか取り外すことができない。すなわち、特許文献２に示す二列二段型の選別機は、左右に並んだ各選別筒は、軸方向に対して直交する短手方向から抜き取る構造を採用しており、左側の選別筒は左側面、右側の選別筒は右側面しか抜き取ることができない。一方、特許文献３に示す二列三段型の選別機は、各選別筒を軸方向（長手方向）にしか抜き取ることができないため、選別筒を軸方向から抜き取るためには、少なくとも選別機より長いスペースを確保する必要があり、選別筒の抜き取り方向によって選別機の設置位置に制約を受けるとともに、選別筒を本体から引き抜く際、選別筒が本体と擦れるなどして干渉し、網目が損傷する虞もある。
【０００６】
さらに、特許文献２、３に示す複数列多段型選別機においては、上段側に配置した選別筒で篩別仕分した粒径の小さな屑粒が下段側の選別筒の網目を通過し整粒に混入する虞があり、選別精度を確保するために解決すべき重要な課題となる。
【０００７】
そこで本発明は、上記課題に着目してなされたものであり、複数の選別筒を上下多段に配置した単列多段型粒選別機において、選別筒の交換に際し、選別筒を本体フレームの短手方向両側の何れの側からも抜き取ることを可能とし、単列多段型粒選別機を設置する際のレイアウトの自由度を高めるとともに、上段側選別筒の網目を通過した屑粒が下段側選別筒の網目を通過し整粒に混入することなく、確実に排出することができる単列多段型粒選別機を提供することを目的とする。
【課題を解決するための手段】
【０００８】
本発明の請求項１の単列多段型粒選別機は、胴周部を網目状として、供給側を高位に、排出側を低位となるように所要角度傾斜させて回転させる選別筒と、この選別筒の網目を通過した基準値以下の屑粒を搬出する屑粒回収用ホッパと、前記選別筒の網目から通過することなく選別筒から排出された基準を満たす整粒を搬出する整粒搬出用シュートと、これら各構成部品を固定する本体フレームとを備え、前記本体フレームに前記選別筒を一列に上下多段に配置した単列多段型粒選別機において、前記上下に配置した各選別筒の間に位置して上段側選別筒からの屑粒を前記屑粒回収用ホッパへと案内する傾斜案内板を設けるとともに、この傾斜案内板と前記上下各選別筒を前記本体フレームに対して前記傾斜案内板の高位側である左側と低位側である右側の両側から着脱自在に設けるために、前記本体フレームは取り外し可能な左右側面パネルを備え、前記本体フレーム内に位置して前記選別筒の軸方向両端側に前記傾斜案内板を支持する一対の支持レールを前記本体フレームの短手方向に沿って設け、この支持レールに対して前記傾斜案内板がスライドして着脱自在に取り付けられていることにより、前記傾斜案内板と上下各選別筒が、前記本体フレームに対して前記各選別筒の軸方向と直交する前記本体フレームの短手方向両側からの取り外しを可能とすることを特徴とする。
【０００９】
本発明の請求項２の単列多段型粒選別機は、前記傾斜案内板の高位側には、当該傾斜案内板の一端縁からＬ型に折曲させ、前記支持レールの上端縁に係止されるストッパ片が形成されていることを特徴とする。
【００１０】
本発明は、単列多段型粒選別機に対して、前記本体フレームから前記傾斜案内板及び前記上下選別筒を取り外す方法において、前記本体フレームの前記左側から前記傾斜案内板及び前記上下選別筒を取り外す場合には、前記本体フレームから前記左側面パネルを取り外して前記本体フレームの左側を開放し、前記傾斜案内板を前記支持レールに沿って高位側へスライドさせて、前記傾斜案内板を取り外し、当該傾斜案内板を取り外した後、前記本体フレームから前記上段側選別筒、前記下段側選別筒の順に取り外し、前記本体フレームの前記右側から前記傾斜案内板及び前記上下選別筒を取り外す場合には、前記本体フレームから前記右側面パネルを取り外して前記本体フレームの右側を開放し、先ず、前記傾斜案内板の上部に位置する前記上段側選別筒を前記本体フレームから抜き取って、前記傾斜案内板の上部を開放させ、前記傾斜案内板の前記ストッパ片と前記支持レールとの係止を解除して前記傾斜案内板を前記支持レールから取り外し、その後に、前記本体フレームから前記下段側選別筒を取り外すようにしたことを特徴とする。
【発明の効果】
【００１２】
本発明の単列多段型粒選別機は、上下の選別筒を互いに平行させて単列多段に配置し、それぞれの選別筒で選別することによって選別処理能力を高めて多量の粒体を選別処理することができる。また、単列の選別筒を上下に並べることによって、多段型粒選別機の床面積は、単体の選別筒を備えた粒選別機と変わらないことから、省スペース化にも寄与できるとともに、上段側選別筒の網目を通過した屑粒が傾斜案内板の傾斜に沿って屑粒回収用ホッパへと確実に排出することができる。
【００１３】
また、傾斜案内板は、該傾斜案内板の上段側に位置する選別筒との近接位置における前記上段側選別筒の回転方向に向かって先端側が下向きとなるように傾斜しているため、傾斜案内板の傾斜角を比較的小さく設定したとしても選別筒の網目から通過した屑粒は、選別筒の回転による遠心力によって、傾斜案内板の傾斜に沿って傾斜案内板の低位側へと効果的に流れる。これにより、傾斜案内板上に屑粒が残留することなく、屑粒回収用ホッパへと確実に排出することができる。さらに、傾斜案内板の傾斜角を比較的小さく設定することにより、上下の選別筒の間隔を狭くレイアウトが可能となり、単列多段型粒選別機の全高を抑えて小型化することができる。
【００１４】
また、傾斜案内板及び上下の選別筒は、本体フレームに対して短手方向の左右何れの側からも取り外すことが可能であるため、傾斜案内板又は上下の選別筒を引き抜くための余剰なスペースを確保する必要もない。さらに、例えば、二台の単列多段型粒選別機を並設させる、あるいは、単体の単列多段型粒選別機を壁に近接させて配置したとしても選別筒と傾斜案内板を抜き取ることができ、単列多段型粒選別機の設置位置を比較的自由に選べる。
【図面の簡単な説明】
【００１５】
【図１】本発明の単列多段型粒選別機を正面から見た断面図である。
【図２】同上、単列多段型粒選別機を右側面から見た断面図である。
【図３】同上、単列多段型粒選別機を左側面から見た断面図である。
【図４】同上、傾斜案内板を左方向から取り出した状態を示す断面図である。
【図５】同上、傾斜案内板を右方向から取り出した状態を示す断面図である。
【図６】同上、二台の単列多段型粒選別機を並設させた状態を示す説明図である。
【図７】同上、単列多段型粒選別機を壁に隣接させて設置した状態を示す説明図である。
【発明を実施するための形態】
【００１６】
以下、添付図面を参照して本発明の実施例を説明する。なお、本実施例において、選別対象として米穀等の穀粒を粒径に応じて整粒と未熟粒等の屑粒に選別する場合を例として説明する。
【実施例】
【００１７】
本発明の単列多段型粒選別機１は、粒体を選別する選別ユニット２、この選別ユニット２に粒体を供給する供給ユニット３、選別ユニット２の網目を通過した屑粒を排出する屑粒回収用ホッパ４、選別ユニット２で選別した整粒を搬出する整粒搬出用シュート５と、これら各構成部品を固定する本体フレーム６で構成されている。なお、本実施例において、図１に示す単列多段型粒選別機１を単列多段型粒選別機１の正面、図示右側を単列多段型粒選別機１の右側面、図示左側を単列多段型粒選別機１の左側面と定義する。また、単列多段型粒選別機とは単列の選別筒が上下に並んで配置された構造の粒選別機を意味する。
【００１８】
次に各構成部品の具体的な構造について図１〜図７を参照して説明する。前記選別ユニット２は、全体が所要のメッシュからなる網目籠体で構成される上下に多段に配置した円筒状の選別筒１０，１１と、この選別筒１０，１１を回転させる駆動モータ７とから成り、粒体の供給側が高位に、粒体の排出側が底位になるよう所要角度傾斜して前記本体フレーム６に回転可能に設置されている。また、前記各選別筒１０，１１は、それぞれ選別対象である米穀等の品質、等級あるいは用途等に応じて網目サイズ（目幅）が決定され、網目から通過した基準以下の屑粒が屑粒回収用ホッパ４へと流下して屑粒回収用ホッパ４の下部に組み付けた搬出用コンベア８によって機外へと搬出される。一方、選別筒１０，１１の網目から通過することなく低位の排出側へと搬送された整粒は選別筒１０，１１から整粒搬出用シュート５に落下し、機外へと搬出される。
【００１９】
前記供給ユニット３は、前記選別筒１０，１１の供給端部側１０ａ，１１ａ（高位側）に位置して本体フレーム６に組み付けられており、粒体の投入ホッパ１２と、この投入ホッパ１２から二股状に分かれた供給管１３，１３を備えている。一方の供給管１３の端部が上部側に位置する選別筒１０の供給側開口部に臨み、他方の供給管１３の端部には、下部の選別筒１１の供給側開口部に延びるフレキシブルパイプ１４と、粒体を受けるホッパ１７が接続されており、ホッパ１７の出口側が選別筒１１の供給側開口部に臨んでいる。上記の構造により、投入ホッパ１２に供給される粒体は供給管１３，１３から上下各選別筒１０，１１内へと供給される。
【００２０】
前記本体フレーム６は前面パネル６Ａと後面パネル６Ｂ及び左右の側面パネル６Ｃ，６Ｄを備えており、左右の側面パネル６Ｃ，６Ｄは上下の各選別筒１０，１１と対応して上下に２分割して構成されている。また、本体フレーム６内には、各選別筒１０，１１の排出端部側１０ｂ，１１ｂ（低位側）側に位置して各選別筒１０，１１から排出した整粒の搬出路１９ａを区画形成するための仕切板１９が形成されている。さらに、前記本体フレーム６内には、前記各選別筒１０，１１の間に位置して上段側選別筒１０の網目から通過する屑粒を案内する傾斜案内板２０と、この傾斜案内板２０に沿って流下した屑粒を前記屑粒回収用ホッパ４へと案内するための垂直案内板２１とが設けられている。
【００２１】
前記仕切板１９と前記本体フレーム６の後面パネル６Ｂの内面側には、前記傾斜案内板２０の支持部材として一対の支持レール２２が傾斜して取り付けられており、傾斜案内板２０の高位側から該傾斜案内板２０の両側縁を支持レール２２に沿ってスライドさせることにより、傾斜案内板２０の一端縁からＬ型に折曲させたストッパ片２０Ａ（図４、図５に示す）を支持レール２２の上端縁に係止させて傾斜案内板２０を位置決め保持している。なお、ストッパ片２０Ａは傾斜案内板２０の高位側に形成されており、傾斜案内板２０の自重によりストッパ片２０Ａと支持レール２２との係合状態が維持されている。また、前記垂直案内板２１は、傾斜案内板２０の低位側縁部に臨んで本体フレーム６の右側面パネル６Ｄと平行するように固定されている。これにより、上段側選別筒１０の網目から通過する屑粒は傾斜案内板２０に沿って流下し、垂直案内板２１と右側面パネル６Ｄとの隙間に案内され、その隙間を通って屑粒回収用ホッパ４へと排出される。なお、傾斜案内板２０と、その上段側に位置する上段側選別筒１０との近接位置において、前記傾斜案内板２０は、前記上段側選別筒１０の回転方向に向かって先端側が下向きとなるように傾斜して案内レール２２に取り付けられている。また、前記左右の側面パネル６Ｃ，６Ｄには各選別筒１０，１１の目詰まりを確認するための点検用窓部３１が形成されており、この点検用窓部３１に対応して前記垂直案内板２１に形成した切欠部２３に透明板２４が装着させている。なお、図中の符号３０は、各選別筒１０，１１と接するように左側面パネル６Ｃに取り付けたスクレーパである。
【００２２】
前記上下の選別筒１０，１１は、本体フレーム６に対して着脱自在に取り付けられており、その選別筒１０，１１の取付構造について説明する。本体フレーム６の前面パネル６Ａに選別筒１０，１１を回転自在に軸支する軸２５が、本体フレーム６の後面パネル６Ｂに前記駆動モータ７が固定されており、選別筒１０，１１の両側には前記軸２５を軸支する軸受２６と、前記駆動モータ７の回転軸（図示しない）と嵌合する突軸２７が取り付けられている。また、前記軸２５は前面パネル６Ａの外面側からネジ止めされ、ネジを緩めることによって、前面パネル６Ａから抜き取ることが可能である。これにより、本体フレーム６から選別筒１０，１１を抜き取る際、先ず、軸２５を前面パネル６Ａから抜き取って選別筒１０，１１の一端部を自由端とした後、選別筒１０，１１の突軸２７を駆動モータ７の回転軸（図示しない）から抜き取ることによって、各選別筒１０，１１が本体フレーム６の左右側面の何れの側からも抜き取ることが可能である。
【００２３】
次に前記傾斜案内板２０と上下各選別筒１０，１１の取り外し方法について図４、図５、図６を参照して説明する。図６は、傾斜案内板２０と上下各選別筒１０，１１を取り外す順番を示しており、本体フレーム６の左側から傾斜案内板２０を取り外すには、図４に示すように、本体フレーム６から上下各左側面パネル６Ｃ，６Ｃを取り外して本体フレーム６の左側を開放する。本体フレーム６の左側面は、前記傾斜案内板２０のストッパ片２０Ａが支持レール２２に係止された傾斜案内板２０の高位側に位置するため、単に傾斜案内板２０を支持レール２２に沿って高位側へスライドさせるだけで、傾斜案内板２０を取り外すことができる。なお、傾斜案内板２０を支持レール２２に取り付ける場合、逆の手順で傾斜案内板２０を支持レール２２に沿って低位側へスライドさせる。そして、傾斜案内板２０を取り外した後、本体フレーム６から上段側選別筒１０、下段側選別筒１１の順に取り外す（図６の順番を参照）。
【００２４】
一方、本体フレーム６の右側から傾斜案内板２０を取り外す場合には、図５に示すように、本体フレーム６から上下各右側面パネル６Ｄ，６Ｄを取り外して本体フレーム６の右側を開放する。本体フレーム６の右側面は、傾斜案内板２０の低位側に位置し、かつ、傾斜案内板２０は、可及的に各選別筒１０，１１と近接させて各選別筒１０，１１間に配置されているため、前記傾斜案内板２０のストッパ片２０Ａと支持レール２２との係合を解除するために、ストッパ片２０Ａの長さ以上、傾斜案内板２０を持ち上げる必要がある。そこで、先ず、傾斜案内板２０の上部に位置する上段側選別筒１０を本体フレーム６から抜き取って、傾斜案内板２０の上部を開放させる。これにより、図５の矢印に示すように、傾斜案内板２０を持ち上げ、傾斜案内板２０を支持レール２２から取り外すことができる。このように傾斜案内板２０を取り外した後、本体フレーム６から下段側選別筒１１を取り外す（図６の順番を参照）。
【００２５】
次に本発明の作用について説明する。供給ユニット３の投入ホッパ１２に粒体を供給することにより、投入ホッパ１２内の粒体は二股状の供給管１３，１３へと供給され、一方の供給管１３から上段側の選別筒１０、他方の供給管１３からフレキシブルパイプ１４，ホッパ１７を経て下段側の選別筒１１内に粒体が供給される。そして、各選別筒１０，１１内に供給される粒体は、駆動モータ７により回転駆動する各選別筒１０，１１の傾斜によって、供給側（高位側）から排出側（低位側）に流れ、その途中で基準以下の屑粒は、各選別筒１０，１１の網目から通過する。この時、上段側選別筒１０から流下する屑粒は、各選別筒１０，１１の間に介在する傾斜案内板２０上に落下した後、傾斜案内板２０の傾斜によって垂直案内板２１と右側面パネル６Ｄとの隙間を通って屑粒回収用ホッパ４へと排出される。また、選別筒１０，１１の網目から通過することなく低位の排出側へと搬送された整粒は各選別筒１０，１１の終端部から仕切板１９によって隔てられた搬出路１９ａから整粒搬出用シュート５に落下し、機外へと搬出される。
【００２６】
以上のように、本実施例では、上下の選別筒１０，１１を互いに平行させて多段に配置し、それぞれの選別筒１０，１１によって粒体を選別することによって選別処理能力を高めて多量の粒体を選別処理することができる。また、選別筒１０，１１を上下に並べることによって、単列多段型粒選別機１の床面積は、単体の選別筒を備えた粒選別機と変わらないことから、省スペース化にも寄与できるとともに、上段側選別筒１０を通過した屑粒が傾斜案内板２０の傾斜に沿って垂直案内板２１と右側面パネル６Ｄとの間の空間部を通って屑粒回収用ホッパ４へと排出されるため、上下の選別筒１０，１１を互いに近接させたレイアウトとしても上段側選別筒１０の網目を通過した屑粒が下段側選別筒１１の網目を通過して整粒に混入することなく、屑粒回収用ホッパ４へと確実に排出することができる。また、前記傾斜案内板２０は、上段側に位置する上段側選別筒１０との近接位置における前記上段側選別筒１０の回転方向に向かって先端側が下向きとなるように傾斜して案内レール２２に取り付けられているため、選別筒１０，１１から通過した屑粒は、選別筒１０，１１の回転による遠心力によって、傾斜案内板２０の傾斜に沿って傾斜案内板２０の低位側へと効果的に流れる。これにより、傾斜案内板２０上に屑粒が残留することなく、屑粒回収用ホッパ４へと確実に排出されるとともに、傾斜案内板２０の傾斜角を比較的小さく設定（本実施例においては２５°程度）することができる。これにより、上下の選別筒１０，１１の間隔を可及的に狭くしたレイアウトが可能となり、単列多段型粒選別機１の全高を抑えて小型化することができる。
【００２７】
また、傾斜案内板２０及び上下の選別筒１０，１１は、本体フレーム６の左右何れの方向からも取り外すことが可能であるとともに、その傾斜案内板２０及び上下の選別筒１０，１１を取り出す方向は、選別筒１０，１１の軸方向に対して直交する本体フレーム６の短手方向であるため、傾斜案内板２０又は上下の選別筒１０，１１を引き抜くための余剰なスペースを確保する必要もない。よって、単列多段型粒選別機１を比較的自由にレイアウトすることができる。また、選別筒１０，１１を引き抜く際にも、開放させた本体フレーム６の右側面又は左側面から引き抜くことができ、本体フレーム６との干渉による選別筒１０，１１の損傷も抑えることができる。さらに、各選別筒１０，１１と傾斜案内板２０が本体フレーム６の左右側面の何れの側からも抜き取ることが可能であるため、図６に示すように、二台の単列多段型粒選別機１，１を並設させた際、図示左側の単列多段型粒選別機１は、左側面から選別筒１０，１１と傾斜案内板２０を抜き取ることができ、図示右側の単列多段型粒選別機１は、右側面から選別筒１０，１１と傾斜案内板２０を抜き取ることができる。また、単列多段型粒選別機１を壁Ｋに隣接させて配置する際、図７（ａ）（ｂ）に示すように壁Ｋとは反対側の側面から選別筒１０，１１と傾斜案内板２０を抜き取ることができ、単列多段型粒選別機１のレイアウトの自由度を高めることができる。
【００２８】
さらに、左右の側面パネル６Ｃ、６Ｄに各選別筒１０，１１の目詰まりなどを確認できる点検用窓部３１が設けられ、下段側の右側面パネル６Ｄの点検用窓部３１と対応して垂直案内板２１に切欠部２３と透明板２４が設けられているため、垂直案内板２１によって選別筒１１が遮られることなく、単列多段型粒選別機１の外面側から良好に視認することができ、メンテナンス性にも優れる。
【００２９】
以上、本発明の各実施例について詳述したが、本発明は前記各実施例に限定されるものではなく、本発明の要旨の範囲内で種々の変形実施が可能である。例えば、選別対象は米穀等の穀粒に限らず各種の粒体に適用可能である。また、前記実施例では、上下二段の選別筒１０，１１を設けた例を示したが、三段以上の選別筒を設けてもよく、選別筒の数あるいは、支持レール２２に対する傾斜案内板２０の取付構造あるいは傾斜案内板２０の支持構造などは前記実施例の構造に限らず適宜選定すればよい。
【符号の説明】
【００３０】
１  単列多段型粒選別機
２  選別ユニット
３  供給ユニット
４  屑粒回収用ホッパ
５  整粒搬出用シュート
６  本体フレーム
１０，１１  選別筒
２０  傾斜案内板
２１  垂直案内板
２２  支持レール（支持部材）
【図１】
0005927049.tif 000002
【図２】
0005927049.tif 000003
【図３】
0005927049.tif 000004
【図４】
0005927049.tif 000005
【図５】
0005927049.tif 000006
【図６】
0005927049.tif 000007
【図７】
0005927049.tif 000008